(57)【要約】【課題】システムの負荷／構成情報を用い、より正確な防塵フィルタの目詰まり状態を検出することができる防塵フィルタ目詰まり状態検出装置を提供する。【解決手段】防塵フィルタ目詰まり状態検出装置において、情報処理装置を構成する複数の部品に対する標準部品温度１５の情報、情報処理装置のシステム情報８、および情報処理装置内の状態を示す情報に基づいて、情報処理装置を構成する複数の部品に対する部品温度閾値１９を作成する部品温度閾値作成部２と、部品温度閾値１９および情報処理装置内部の部品温度１４に基づいて、防塵フィルタの目詰まり状態を検出する目詰まり状態検出部３とを備えた。【選択図】図１
2009277053.tif 000002
【特許請求の範囲】
【請求項１】
情報処理装置内の防塵フィルタの目詰まり状態を検出する防塵フィルタ目詰まり状態検出方法であって、
前記情報処理装置内の情報処理部により、前記情報処理装置を構成する複数の部品に対する標準部品温度の情報、前記情報処理装置のシステム情報、および前記情報処理装置内の状態を示す情報に基づいて、前記情報処理装置を構成する複数の部品に対する部品温度閾値を作成し、前記部品温度閾値および前記情報処理装置内部の部品温度に基づいて、前記防塵フィルタの目詰まり状態を検出することを特徴とする防塵フィルタ目詰まり状態検出方法。
【請求項２】
請求項１記載の防塵フィルタ目詰まり状態検出方法において、
予め、前記情報処理装置内の情報格納部に、前記情報処理装置のシステム情報および前記情報処理装置内の状態を示す情報の組み合わせのそれぞれに対応した、前記情報処理装置を構成する複数の部品に対する前記標準部品温度の情報を格納し、
前記情報処理部により、前記情報処理装置のシステム情報および前記情報処理装置内の状態を示す情報に基づいて、前記情報格納部に格納された前記標準部品温度の情報を選択して、前記部品温度閾値を作成することを特徴とする防塵フィルタ目詰まり状態検出方法。
【請求項３】
情報処理装置内の防塵フィルタの目詰まり状態を検出する防塵フィルタ目詰まり状態検出装置であって、
前記情報処理装置を構成する複数の部品に対する標準部品温度の情報、前記情報処理装置のシステム情報、および前記情報処理装置内の状態を示す情報に基づいて、前記情報処理装置を構成する複数の部品に対する部品温度閾値を作成する部品温度閾値作成部と、
前記部品温度閾値および前記情報処理装置内部の部品温度に基づいて、前記防塵フィルタの目詰まり状態を検出する目詰まり状態検出部とを備えたことを特徴とする防塵フィルタ目詰まり状態検出装置。
【請求項４】
請求項３記載の防塵フィルタ目詰まり状態検出装置において、
前記情報処理装置のシステム情報および前記情報処理装置内の状態を示す情報の組み合わせのそれぞれに対応した、前記情報処理装置を構成する複数の部品に対する前記標準部品温度の情報を格納する情報格納部を備え、
前記部品温度閾値作成部は、前記情報処理装置のシステム情報および前記情報処理装置内の状態を示す情報に基づいて、前記情報格納部に格納された前記標準部品温度の情報を選択して、前記部品温度閾値を作成することを特徴とする防塵フィルタ目詰まり状態検出装置。
【発明の詳細な説明】
【技術分野】
【０００１】
本発明は、ＰＣやサーバシステムなどの情報処理装置内の防塵フィルタの目詰まり状態を検出する防塵フィルタ目詰まり状態検出方法および防塵フィルタ目詰まり状態検出装置に関し、特に、情報処理装置のシステム情報に基づいて、目詰まり状態を検出する技術に関する。
【背景技術】
【０００２】
従来、ＰＣやサーバシステムは、システムの高性能化に伴い発熱量が増加し、デバイスの冷却するための風量も増大する傾向にある。また、ＰＣやサーバシステムの普及により、設置場所も多様になり、通気口からの防塵進入を防ぐ防塵フィルタが普及している。
【０００３】
このような、防塵フィルタの目詰まりを検出する技術としては、例えば、特開２００６−１９８５８２号公報（特許文献１）に記載された技術がある。
【特許文献１】特開２００６−１９８５８２号公報
【発明の開示】
【発明が解決しようとする課題】
【０００４】
しかしながら、特許文献１のものは、ファン回転数／フィルタ前後の温度差による目詰まりを検出するものである。しかし、ＰＣ／サーバシステムへの適用を検討した場合、ＣＰＵ／メモリ／ＨＤＤなどの負荷や構成の違いによる内部温度の変化の違いが考慮されておらず、負荷や構成がそれぞれのタイミングや使用ユーザにより異なるＰＣ／サーバシステムへの適用を検討した場合、温度閾値の設定が難しいという問題があった。
【０００５】
そこで、本発明の目的は、システムの負荷／構成情報を用い、より正確な防塵フィルタの目詰まり状態を検出することができる防塵フィルタ目詰まり状態検出方法および防塵フィルタ目詰まり状態検出装置を提供することにある。
【０００６】
本発明の前記ならびにその他の目的と新規な特徴は、本明細書の記述および添付図面から明らかになるであろう。
【課題を解決するための手段】
【０００７】
本願において開示される発明のうち、代表的なものの概要を簡単に説明すれば、次のとおりである。
【０００８】
すなわち、代表的なものの概要は、情報処理装置を構成する複数の部品に対する標準部品温度の情報、情報処理装置のシステム情報、および情報処理装置内の状態を示す情報に基づいて、情報処理装置を構成する複数の部品に対する部品温度閾値を作成する部品温度閾値作成部と、部品温度閾値および情報処理装置内部の部品温度に基づいて、防塵フィルタの目詰まり状態を検出する目詰まり状態検出部とを備えたものである。
【発明の効果】
【０００９】
本願において開示される発明のうち、代表的なものによって得られる効果を簡単に説明すれば以下のとおりである。
【００１０】
すなわち、代表的なものによって得られる効果は、システムの負荷／構成情報を用い、より正確な防塵フィルタの目詰まり状態を検出することができる。
【発明を実施するための最良の形態】
【００１１】
以下、本発明の実施の形態を図面に基づいて詳細に説明する。なお、実施の形態を説明するための全図において、同一の部材には原則として同一の符号を付し、その繰り返しの説明は省略する。
【００１２】
図１により、本発明の一実施の形態に係る防塵フィルタ目詰まり状態検出装置の構成について説明する。図１は本発明の一実施の形態に係る防塵フィルタ目詰まり状態検出装置の構成を示す構成図である。
【００１３】
図１において、防塵フィルタ目詰まり状態検出装置は、ＰＣ／サーバシステムなどの情報処理装置のシステム情報および情報処理装置内の状態を示す情報の組み合わせのそれぞれに対応した、情報処理装置を構成する複数の部品に対する標準部品温度の情報を格納する情報格納部１、情報処理装置を構成する複数の部品に対する標準部品温度の情報、情報処理装置のシステム情報、および情報処理装置内の状態を示す情報に基づいて、情報処理装置を構成する複数の部品に対する部品温度閾値を作成する部品温度閾値作成部２、部品温度閾値および情報処理装置内部の部品温度に基づいて、防塵フィルタの目詰まり状態を検出する目詰まり状態検出部３、目詰まり状態表示部４、システム情報取得部５、温度センサ情報取得部６、エラー情報検出部７から構成されている。
【００１４】
また、防塵フィルタ目詰まり状態検出装置は、ＰＣ／サーバシステムなどの情報処理装置の一部として構成されており、情報処理装置は、ＣＰＵ／ＨＤＤ／メモリなどの情報処理機能を有し、防塵フィルタ目詰まり状態検出装置の情報格納部１はＨＤＤなどで構成され、部品温度閾値作成部２、目詰まり状態検出部３、システム情報取得部５、温度センサ情報取得部６、エラー情報検出部７は、ＣＰＵなどからなる情報処理部の処理により処理されている。
【００１５】
情報格納部１は、システム情報８（ＦＡＮ実回転数９、ハードウェア構成１０、負荷１１）、温度センサ情報１２（周囲温度１３、部品温度１４）、標準部品温度１５、エラー情報１６（ＦＡＮ異常１７、電圧異常１８）、部品温度閾値１９、実部品温度／部品温度閾値比２０、目詰まり状態テーブル２１、目詰まり状態情報／エラー情報２２の情報を格納している。
【００１６】
ＦＡＮ実回転数９は、システムに搭載されているそれぞれのＦＡＮの実回転数である。ハードウェア構成１０は、ＣＰＵ／メモリ／ＨＤＤ／拡張ボード／拡張ドライブのシステムの構成情報である。負荷１１は、ＣＰＵ／メモリ／ＨＤＤ／拡張ドライブの負荷情報である。
【００１７】
周囲温度１３は、システムの周囲の温度情報である。部品温度１４は、ＣＰＵ、メモリ／ＨＤＤ／ＩＣなどの主要部品の温度情報である。標準部品温度１５は、周囲温度１３、ハードウェア構成１０、負荷１１、ＦＡＮ実回転数９ごとの標準部品温度の情報である。
【００１８】
ＦＡＮ異常１７はＦＡＮの回転数がＦＡＮの故障などにより異常回転数となった場合に記録される情報である。電圧異常１８は、情報処理装置内で生成している電圧が異常電圧となった場合に記憶される情報である。
【００１９】
部品温度閾値１９は、ＣＰＵ／メモリ／ＨＤＤ／その他ＩＣなどの温度閾値情報である。実部品温度／部品温度閾値比２０は、部品温度閾値に対する実部品温度の比率である。
【００２０】
目詰まり状態テーブル２１は、実部品温度／部品温度閾値比の平均値ごとの目詰まり状態、メッセージ情報を示すテーブルである。目詰まり状態情報／エラー情報２２は、情報処理装置の目詰まり状態情報／エラーの情報である。
【００２１】
次に、図２〜図７により、本発明の一実施の形態に係る防塵フィルタ目詰まり状態検出装置で使用される各情報について説明する。図２は本発明の一実施の形態に係る防塵フィルタ目詰まり状態検出装置で使用されるシステム情報の一例を示す図であり、図２（ａ）はハードウェア構成、図２（ｂ）はＦＡＮ実回転数、図２（ｃ）は負荷の情報を示している。
【００２２】
図３は本発明の一実施の形態に係る防塵フィルタ目詰まり状態検出装置で使用される標準部品温度の一例を示す図、図４は本発明の一実施の形態に係る防塵フィルタ目詰まり状態検出装置で使用される部品温度閾値の一例を示す図、図５は本発明の一実施の形態に係る防塵フィルタ目詰まり状態検出装置で使用される実部品温度／部品温度閾値比の一例を示す図、図６は本発明の一実施の形態に係る防塵フィルタ目詰まり状態検出装置で使用される目詰まり状態テーブルの一例を示す図、図７は本発明の一実施の形態に係る防塵フィルタ目詰まり状態検出装置で使用される目詰まり状態／エラー情報の一例を示す図である。
【００２３】
システム情報８は、図２に示すように、ＦＡＮ実回転数９、ハードウェア構成１０、負荷１１の情報からなり、ハードウェア構成１０は、ＣＰＵ、メモリ、ＨＤＤ、拡張スロット、拡張ドライブなどの情報から構成される。ＦＡＮ実回転数９は、システムに搭載されるＦＡＮそれぞれのＭＡＸ回転数に対する実回転数の割合である。負荷１１は、ＣＰＵ、メモリ、ＨＤＤ、ドライブそれぞれのＭＡＸ負荷に対する実負荷の割合である。
【００２４】
標準部品温度１５は、図３に示すように、設計／開発段階で複数の情報が作成され、情報格納部１に格納されており、周囲温度、構成、負荷、ＦＡＮ回転数ごとのすべての組み合わせからなる情報である。この標準部品温度１５により、情報処理装置の構成や、情報処理装置内の各情報から、防塵フィルタ目詰まり状態を検出する際の標準部品温度を取得できるようになっている。
【００２５】
部品温度閾値１９は、図４に示すように、現在のシステム状態に当てはまる部品温度を、標準部品温度１５から抜き出したものであり、周囲温度、構成、負荷、ＦＡＮ実回転数、標準部品温度から構成されており、この部品温度閾値１９の中の標準部品温度の情報が、防塵フィルタの目詰まり状態を検出する際に使用される部品温度の閾値となる。
【００２６】
実部品温度／部品温度閾値比２０は、図５に示すように、ＣＰＵ、メモリＨＤＤ、ＩＣ１〜ＩＣ４の部品温度閾値に対する、実部品温度の割合であり、ＣＰＵ温度比、メモリ温度比、ＨＤＤ温度比、ＩＣ１〜４温度比、平均値から構成される。
【００２７】
目詰まり状態テーブル２１は、図６に示すように、予め設計／開発段階で作成され、情報格納部１に格納されており、実部品温度／温度閾値の平均値ごとの目詰まり状態、メッセージで構成されている。
【００２８】
目詰まり状態情報／エラー情報２２は、図７に示すように、目詰まり状態／エラー情報（例１）５１のように、目詰まり状態および、メッセージで構成される。エラー情報がある場合は、目詰まり状態／エラー情報（例２）５２のようにエラー情報および、目詰まりを検出できない趣旨の内容で構成される。
【００２９】
次に、図８により、本発明の一実施の形態に係る防塵フィルタ目詰まり状態検出装置の防塵フィルタ目詰まり状態検出動作について説明する。図８は本発明の一実施の形態に係る防塵フィルタ目詰まり状態検出装置の防塵フィルタ目詰まり状態検出動作を示すフローチャートである。
【００３０】
まず、システム情報取得部５が、オペレーティングシステムなどからシステム情報を取得し、情報格納部１にシステム情報８を格納し（ステップ１００）、温度センサ情報取得部６が、温度センサなどから温度センサ情報を取得し、情報格納部１に温度センサ情報１２を格納し（ステップ１０１）、エラー情報検出部７が、エラー情報を取得し、情報格納部１にエラー情報１６を格納する（ステップ１０２）。
【００３１】
そして、部品温度閾値作成部２が、情報格納部１から、システム情報８を取得し（ステップ１０３）、温度センサ情報１２を取得し（ステップ１０４）、標準部品温度１５を取得し（ステップ１０５）、標準部品温度１５から現在の情報処理装置のシステム情報８、温度センサ情報１２と合致する標準部品温度１５を選択し、部品温度閾値１９としてコピーして、情報格納部１に格納する（ステップ１０６）。
【００３２】
そして、目詰まり状態検出部３が、部品温度１４を取得し（ステップ１０７）、部品温度閾値１９を取得し（ステップ１０８）、エラー情報を取得し（ステップ１０９）、目詰まり状態テーブル２１を情報格納部１から取得する（ステップ１１０）。
【００３３】
そして、部品温度１４、部品温度閾値１９から、実部品温度／部品温度閾値比２０を算出し、情報格納部１に格納する（ステップ１１１）。
【００３４】
そして、エラー情報１６、目詰まり状態テーブル２１、実部品温度／部品温度閾値比２０の平均値から目詰まり状態情報／エラー情報２２を作成し、情報格納部１に格納する（ステップ１１２）。
【００３５】
そして、目詰まり状態表示部４は、情報格納部１から目詰まり状態情報／エラー情報２２を取得し表示する（ステップ１１３）。
【００３６】
以上のように、本実施の形態では、部品温度閾値作成部２により、周囲温度１３、ＦＡＮ実回転数９、ハードウェア構成１０、負荷１１から部品温度閾値１９を算出し、目詰まり状態検出部３により、部品温度１４、部品温度閾値１９、エラー情報１６から目詰まり状態を算出し、目詰まり状態表示部４に表示するようにしたので、情報処理装置のハードウェア構成や、現在の情報処理装置内部の情報に基づいた、より正確な目詰まり状態を算出することが可能である。
【００３７】
以上、本発明者によってなされた発明を実施の形態に基づき具体的に説明したが、本発明は前記実施の形態に限定されるものではなく、その要旨を逸脱しない範囲で種々変更可能であることはいうまでもない。
【００３８】
例えば、本実施の形態では、複数の組み合わせからなる標準部品温度１５から、システム情報８、温度センサ情報１２と合致する標準部品温度１５を選択して、部品温度閾値１９としているが、標準部品温度の情報として、ハードウェア構成、負荷、ＦＡＮ実回転数に対する標準部品温度をデータベース化し、そのデータベースを現在の情報処理装置の情報に基づいて検索し、部品温度閾値１９を算出するようにしてもよい。
【産業上の利用可能性】
【００３９】
本発明は、内部の防塵フィルタを有し、その防塵フィルタの目詰まり状態を検出する情報処理装置に広く適用可能である。
【図面の簡単な説明】
【００４０】
【図１】本発明の一実施の形態に係る防塵フィルタ目詰まり状態検出装置の構成を示す構成図である。
【図２】本発明の一実施の形態に係る防塵フィルタ目詰まり状態検出装置で使用されるシステム情報の一例を示す図である。
【図３】本発明の一実施の形態に係る防塵フィルタ目詰まり状態検出装置で使用される標準部品温度の一例を示す図である。
【図４】本発明の一実施の形態に係る防塵フィルタ目詰まり状態検出装置で使用される部品温度閾値の一例を示す図である。
【図５】本発明の一実施の形態に係る防塵フィルタ目詰まり状態検出装置で使用される実部品温度／部品温度閾値比の一例を示す図である。
【図６】本発明の一実施の形態に係る防塵フィルタ目詰まり状態検出装置で使用される目詰まり状態テーブルの一例を示す図である。
【図７】本発明の一実施の形態に係る防塵フィルタ目詰まり状態検出装置で使用される目詰まり状態情報／エラー情報の一例を示す図である。
【図８】本発明の一実施の形態に係る防塵フィルタ目詰まり状態検出装置の防塵フィルタ目詰まり状態検出動作を示すフローチャートである。
【符号の説明】
【００４１】
１…情報格納部、２…部品温度閾値作成部、３…目詰まり状態検出部、４…目詰まり状態表示部、５…システム情報取得部、６…温度センサ情報取得部、７…エラー情報検出部、８…システム情報、９…ＦＡＮ実回転数、１０…ハードウェア構成、１１…負荷、１２…温度センサ情報、１３…周囲温度、１４…部品温度、１５…標準部品温度、１６…エラー情報、１７…ＦＡＮ異常、１８…電圧異常、１９…部品温度閾値、２０…実部品温度／部品温度閾値比、２１…目詰まり状態テーブル、２２…目詰まり状態情報／エラー情報。
【図１】
2009277053.tif 000003
【図２】
2009277053.tif 000004
【図３】
2009277053.tif 000005
【図４】
2009277053.tif 000006
【図５】
2009277053.tif 000007
【図６】
2009277053.tif 000008
【図７】
2009277053.tif 000009
【図８】
2009277053.tif 000010